(57)【要約】【課題】粉塵等の異物の侵入を抑制することができる、より使い勝手の良い空調衣服を提供する。【解決手段】空調衣服１は、着用者を覆う衣服本体２と、この衣服本体２に取り付けられた外気導入用のファン４とを備える。衣服本体２には、異物侵入防止用のフィルタ３０を備えたカバー部材６がファン４の外側から着脱可能に取り付けられている。【選択図】図３
2020020056.tif 000002
【特許請求の範囲】
【請求項１】
外気導入用のファンを備えた空調衣服であって、
着用者を覆う衣服本体を含み、
前記衣服本体には、異物侵入防止用のフィルタを備えたカバー部材が前記ファンの外側から着脱可能に取り付けられていることを特徴とする空調衣服。
【請求項２】
請求項１に記載の空調衣服において、
前記フィルタは、金網で構成されていることを特徴とする空調衣服。
【請求項３】
請求項１又は２に記載の空調衣服において、
前記衣服本体に設けられた第１部材と、前記カバー部材に設けられて前記第１部材に係脱可能に係合する第２部材とからなる取付部材を含み、
前記カバー部材は、前記取付部材により前記衣服本体に対して着脱可能に取り付けられている、ことを特徴とする空調衣服。
【請求項４】
請求項３に記載の空調衣服において、
前記取付部材は面ファスナーである、ことを特徴とする空調衣服。
【請求項５】
請求項１又は２に記載の空調衣服において、
前記衣服本体は、前記カバー部材を出し入れ可能に収納するポケット部を備え、
前記カバー部材は、前記ポケット部に収納されることにより前記衣服本体に対して着脱可能である、ことを特徴とする空調衣服。
【請求項６】
請求項５に記載の空調衣服において、
前記カバー部材はプレート状を成し、
前記ポケット部は、前記衣服本体の外側面に沿って前記カバー部材が出し入れ可能となる形状を有する、ことを特徴とする空調衣服。
【請求項７】
請求項６に記載の空調衣服において、
前記衣服本体は、前記ポケット部における前記カバー部材の出し入れ口を閉止するための閉止手段を備えている、ことを特徴とする空調衣服。
【請求項８】
衣服本体と、この衣服本体に取り付けられた外気導入用のファンとを備えた空調衣服の前記衣服本体に取り付けられるカバー部材であって、
前記ファンを外側から覆うことが可能な形状を有し、かつ外気と共に異物が侵入することを阻止するフィルタと、
前記衣服本体の外側面であって前記ファンの周辺部に設けられた第１部材に対して係脱可能に係合させることが可能な第２部材と、を備える、ことを特徴とする空調衣服用カバー部材。
【発明の詳細な説明】
【技術分野】
【０００１】
本発明は、外気を取り込むためのファン（送風機）を備えた空調衣服に関するものである。
【背景技術】
【０００２】
従来から、電動ファンを備え、このファンの作動により外気を衣服本体の内側に取り込むことによって身体の冷却を図るように構成された、空調衣服と称する作業服が知られている（例えば特許文献１）。空調衣服は、高温環境の室内外で作業を行う作業者の体温上昇を抑制することができ、夏季の熱中症対策としても有効である。
【先行技術文献】
【特許文献】
【０００３】
【特許文献１】特許第６１９１０２８号公報
【発明の概要】
【発明が解決しようとする課題】
【０００４】
空調衣服は、ファンの作動により外気を積極的に衣服本体の内側に導入するものであるため、使用環境によっては、粉塵などの異物が外気と共に衣服本体内に侵入することがある。このような異物の侵入を防止するために、近年では、不織布製のカバーをファンに装着することが行われている。この種のカバーは、ファンにアタッチメントを装着したうえで、このアタッチメントに被せるか、あるいはファンに貼付けるなど、基本的にはファン自体に取り付けるものである。そのため、作業者が着衣した状態でカバーを着脱することが難しく、使い勝手が良いものとは言いにくかった。従って、この点を改善することが望まれる。
【０００５】
なお、溶接現場のように火花（スパッタ）が飛び交う中で空調衣服を使用する場合には、安全面から火花の侵入を防止することが望まれるが、従来の不織布製のカバーでは、必ずしも火花の侵入を防止し得るとは言えず、この点も改善できればより好ましい。
【０００６】
本発明は、上記のような事情に鑑みてなされたものであって、粉塵等の異物の侵入を抑制することができる、より使い勝手の良い空調衣服を提供することを目的としている。
【課題を解決するための手段】
【０００７】
本発明の一局面は、外気導入用のファンを備えた空調衣服であって、着用者を覆う衣服本体を含み、前記衣服本体には、異物侵入防止用のフィルタを備えたカバー部材が前記ファンの外側から着脱可能に取り付けられているものである。
【０００８】
この空調衣服によれば、カバー部材（フィルタ）によって粉塵等の異物が衣服本体内へ侵入することが防止される。しかも、カバー部材は、ファンを覆うようにその外側から衣服本体に着脱可能に取り付けられる構造なので、作業者が空調衣服を着たままでカバー部材を着脱することが可能であり、使い勝手が良いものとなる。
【０００９】
この空調衣服において、前記フィルタは、金網で構成されているのが好適である。
【００１０】
この構成によれば、フィルタが金網で構成されているため、溶接現場などで使用する場合でも、火花（スパッタ）の侵入が高度に阻止される。
【００１１】
上記各態様の空調衣服は、前記衣服本体に設けられた第１部材と、前記カバー部材に設けられて前記第１部材に係脱可能に係合する第２部材とからなる取付部材を含み、前記カバー部材は、前記取付部材により前記衣服本体に対して着脱可能に取り付けられているものである。より具体的に、前記取付部材は、面ファスナーであるのが好適である。
【００１２】
この構成によれば、簡素な構成で、カバー部材を衣服本体に対して着脱可能に取り付けることが可能となる。
【００１３】
また、上記各態様の空調衣服において、前記衣服本体は、前記カバー部材を出し入れ可能に収納するポケット部を備え、前記カバー部材が、前記ポケット部に収納されることにより前記衣服本体に対して着脱可能となっているものであってもよい。
【００１４】
この構成によれば、衣服本体に設けられたポケット部にカバー部材が収納される構成であるため、上記面ファスナー等の専用の取付部材を用いることなく、カバー部材を衣服本体に対して着脱可能に取り付けることが可能となる。
【００１５】
この場合、  前記カバー部材はプレート状を成し、前記ポケット部は、前記衣服本体の外側面に沿って前記カバー部材が出し入れ可能となる形状を有するのが好適である。
【００１６】
この構成によれば、カバー部材の面を衣服本体の外側面に沿わせるようにしてカバー部材を移動させることで、ポケット部に対してカバー部材を出し入れすることができる。そのため、カバー部材に無理な力をかけることなく、換言すれば、カバー部材を変形等させることなく、難なく衣服本体に対して着脱することが可能となる。
【００１７】
この場合、前記衣服本体は、前記ポケット部における前記カバー部材の出し入れ口を閉止するための閉止手段を備えているのが好適である。
【００１８】
この構成によれば、カバー部材を収納した状態で出し入れ口を閉止すれば、収納されたカバー部材が意図せず脱落することを防止することが可能となる。
【００１９】
本発明の他の一局面は、衣服本体と、この衣服本体に取り付けられた外気導入用のファンとを備えた空調衣服の前記衣服本体に取り付けられるカバー部材（空調衣服用カバー部材）であって、前記ファンを外側から覆うことが可能な形状を有し、かつ外気と共に異物が侵入することを阻止するフィルタと、前記衣服本体の外側面であって前記ファンの周辺部に設けられた第１部材に対して係脱可能に係合させることが可能な第２部材と、を備えるものである。
【００２０】
このようなカバー部材によれば、衣服本体に第１部材が備えられている空調衣服に対し当該カバー部材を着脱可能に取り付けることが可能となる。そして、当該カバー部材を取り付けた空調衣服は、ファンを覆うようにその外側からカバー部材が衣服本体に着脱可能に取り付けられたものであるから、上述した空調衣服と同等の作用効果を享受することが可能となる。
【発明の効果】
【００２１】
上記の各態様に係る空調衣服によれば、粉塵等の異物の侵入を抑制することができる、より使い勝手の良い空調衣服を提供することが可能となる。
【図面の簡単な説明】
【００２２】
【図１】本発明の第１実施形態に係る空調衣服（カバー部材を取り付けた状態）の背面図である。
【図２】空調衣服の背面図（カバー部材を取り外した状態）である。
【図３】空調衣服の断面図（図１のＩＩＩ−ＩＩＩ線断面図）である。
【図４】空調衣服の断面図（カバー部材を取り外した状態）である
【図５】ファンの取り付け構造を示す空調衣服の断面図である。
【図６】カバー部材の平面図である。
【図７】（ａ）〜（ｃ）はカバー部材を構成する部材を示す平面模式図である。
【図８】（ａ）〜（ｃ）はカバー部材の製作手順を説明する図である。
【図９】本発明の第２実施形態に係る空調衣服の背面図（カバー部材を取り外した状態）である。
【図１０】カバー部材の平面図である。
【図１１】本発明の第３実施形態に係る空調衣服の背面図（左側だけカバー部材を取付けた状態）である。
【図１２】衣服本体のポケット部を示す斜視図である。
【図１３】（ａ）は、カバー部材の平面図であり、（ｂ）は、カバー部材の断面図である。
【発明を実施するための形態】
【００２３】
以下、本発明の第１実施形態について図面を参照しつつ詳細に説明する。
【００２４】
［空調衣服の全体構成］
図１及び図２は、本発明に係る空調衣服の背面図であり、図１は、カバー部材が取り付けられた状態を、図２は、カバー部材が取り外された状態を各々示している。また、図３は、空調衣服の断面図（図１のＩＩＩ−ＩＩＩ線断面図）である。
【００２５】
空調衣服１は、衣服本体２と、この衣服本体２に対して各々着脱可能に取り付けられた、ファン４及びカバー部材６とを備えている。
【００２６】
衣服本体２は、着用者の上半身を覆う長袖の衣服であり、概ね作業服の構造を有している。衣服本体２の腰部又はその近傍位置には、所定の間隔を隔て左右２つのファン取付孔１０（図３参照）が形成されており、２つの前記ファン４が、これらファン取付孔１０を介して衣服本体２に取り付けられている。
【００２７】
ファン４は、円柱状のファン本体部２０と、このファン本体部２０に着脱自在に外嵌（装着）される円筒状のリング部材２２とを備えて構成されている。
【００２８】
ファン本体部２０は、ブレード２６と、これを駆動するためのモータを含む駆動部２８と、ブレード２６及び駆動部２８が収容される多孔質の樹脂製のケース２４とを備えており、ブレード２６が回転することより、ファン取付孔１０を介して外気を衣服本体２の内側に取り込むように構成されている。
【００２９】
ファン本体部２０は、図４及び図５に示すように、衣服本体２の外側からファン取付孔１０に挿入されている。このファン本体部２０に対して衣服本体２の内側からリング部材２２が外嵌（装着）されることにより、ファン４が衣服本体２に取り付けられている。より詳しくは、ファン取付孔１０は、ファン本体部２０の外径と同等（又は若干大きい）内径を有する円形孔とされており、リング部材２２の一端およびファン本体部２０のケース２４の一端にそれぞれ設けられた鍔部２２ａ、２４ａによって当該ファン取付孔１０の周縁部をその全周に亘って挟み込むことで、ファン４が衣服本体２に取り付けられている。
【００３０】
ケース２４には、リング部材２２を係脱可能に係止することが可能な図外のフック部が設けられている。このフック部によりケース２４がファン本体部２０に係止されることで、衣服本体２へのファン４の取り付け状態が維持されている。従って、フック部によるケース２４の係止状態を解除することによって、衣服本体２からファン４を取り外すことが可能となる。例えば、洗濯の際には、ファン４を取り外せば、衣服本体２を水洗いすることが可能となる。
【００３１】
なお、図２、図４、図５中の符号２９は、ファン４と図外のバッテリーとを繋ぐ配線である。バッテリー及びスイッチ類は、衣服本体２の内側に設けられた図外のバッテリーポケットに収納されるようになっている。
【００３２】
前記カバー部材６は、異物がファン４を介して衣服本体２内に侵入することを阻止するためのものである。カバー部材６は、空調衣服１の使用環境に合致したものが適用される。例えば、当例では空調衣服１を溶接現場で使用することを想定しており、よって、カバー部材６は、前記異物として、溶接作業の際に飛び散る火花（スパッタ）が衣服本体２に侵入することを防止し得るように構成されている。
【００３３】
図６は、カバー部材６の平面図である。同図、図１及び図５に示すように、カバー部材６は、全体が正方形の概ねプレート状に形成されている。カバー部材６は、正方形のフィルタ３０と、その周縁部を覆う枠部材３２とを備えている。当例では、フィルタ３０は、ステンレス製の平織り金網であり、例えば、メッシュ１６、目開き寸法１．３９ｍｍ、開口率７６．６％のものが適用されている。
【００３４】
フィルタ３０のうち、枠部材３２に覆われていない部分の形状は正方形であり、その一辺の寸法は、ファン４の外径と略同一又はそれよりも若干大きい値に設定されている（図１参照）。これにより、ファン４の作動時には、フィルタ３０を通じて外気を衣服本体２の内側に取り込めるようになっている。
【００３５】
カバー部材６は、面ファスナー３６によって衣服本体２に対して着脱可能に取り付けられている。詳しくは、図２〜図４に示すように、カバー部材６の片面に、枠部材３２に沿って平面視口字型の雄型面ファスナー３６ａが設けられる一方、衣服本体２の外側面（背面）には、各ファン４（ファン取付孔１０）を取り囲むように、前記雄型面ファスナー３６ａに対応する平面視ロ字型の雌型面ファスナー３６ｂが設けられている。そして、カバー部材６の雄型面ファスナー３６ａと衣服本体２の雌型面ファスナー３６ｂとが互いに重ね合わされることにより、図１及び図３に示すように、ファン４をフィルタ３０で外側から覆うように、カバー部材６が衣服本体２に対して着脱可能に取り付けられている。
【００３６】
なお、当例では、面ファスナー３６が本発明の「取付部材」に相当し、雌型面ファスナー３６ｂが本発明の「第１部材」に相当し、雄型面ファスナー３６ａが本発明の「第２部材」に相当する。
【００３７】
［カバー部材６の製造方法］
次に、カバー部材６の製作方法の一例について、図７及び図８を用いて説明する。図７（ａ）〜（ｃ）は、カバー部材６を構成する部材（雄型面ファスナー３６ａを除く）を概略的に示しており、（ａ）は、上述したフィルタ（金網）３０を、（ｂ）、（ｃ）は、上述した枠部材３２を構成する外皮材３８及び保型材３９を示している。
【００３８】
外皮材３８は、正方形の開口部３８ａを中心に有する平面視ロ字型の正方形の布であり、例えば、衣服本体２と同じ生地で形成されている。外皮材３８の一辺の長さは、フィルタ３０の一辺の長さよりも大きく、開口部３８ａの一辺の長さは、フィルタ３０の一辺の長さよりも小さい。外皮材３８には、開口部３８ａのコーナ部から放射状に延びる切り込み３８ｂが形成されている。
【００３９】
保型材３９は、正方形の開口部３９ａを中心に有する、平面視ロ字型の正方形のシートであり、例えば外皮材３８と共地もしくは同材質で外皮材３８よりも薄手のもので形成されている。保型材３９の一辺の長さは、フィルタ３０の一辺の長さよりも大きく、かつ外皮材３８の一辺の長さより若干小さい。また、開口部３９ａの一辺の長さは、フィルタ３０の一辺の長さよりも小さく、かつ外皮材３８の開口部３８ａの一辺の長さよりも大きい。
【００４０】
図８（ａ）〜（ｃ）は、カバー部材６の製作手順を示している。まず、外皮材３８に保型材３９を重ね合わせ（図８（ａ））、外皮材３８の開口部３８ａの内周縁部を、保型材３９の開口部３９ａの各辺に沿って前記切り込み３８ｂの分だけ外向きに折り返す（図８（ｂ））。折り返し部分は、アイロン等で型付けするか接着剤で固定する。次に、その折り返し部分に重なるようにフィルタ３０を保型材３９に重ね合わせ（図８（ｃ））、さらに、フィルタ３０の周縁部を覆うように、フィルタ３０の各辺に沿って外皮材３８及び保型材３９の周縁部分を一体に内側に折り返し、当該折り返し部分において、フィルタ３０とその両側の外皮材３８等とを一体に縫着する。これにより、外皮材３８及び保型材３９により、フィルタ３０の周縁部を覆う前記枠部材３２が形成される。
【００４１】
そして、この枠部材３２の片面に、前記雄型面ファスナー３６ａを縫着、或いは接着することにより、上述したカバー部材６が完成する。
【００４２】
［作用効果等］
上記空調衣服１は、溶接現場で使用することを想定したものであるが、ファン４は、上記の通り、金網からなるフィルタ３０を備えたカバー部材６によって覆われている。この構成によれば、溶接作業中に飛び散る火花（スパッタ）をフィルタ３０で捕捉することが可能となるため、ファン４から衣服本体２に火花（スパッタ）が侵入することが高度に抑制される。
【００４３】
しかも、カバー部材６は、ファン４を覆うようにその外側から面ファスナー３６で衣服本体２に取り付けられているので、ワンタッチで簡単にカバー部材６を着脱することができる。よって、作業者は、空調衣服１を着用した状態でも難なくカバー部材６を着脱することができる。
【００４４】
また、作業現場に応じた複数種類のカバー部材６を予め準備しておけば、カバー部材６を、カバー部材６に付け替えるだけで、異なる作業現場に対応するこが可能となる。例えば、粉塵が多く飛び交う作業現場で作業を行う場合には、細かい粉塵等の侵入を防止できる不織布等からなるフィルタ３０を備えたカバー部材６に付け替えることで、空調衣服１（カバー部材６以外）をそのまま使用することが可能となる。この場合、カバー部材６は、面ファスナー３６でファン４の外側から衣服本体２に取り付けられているので、環境の異なる現場を行き来する必要があるような場合でも、作業者は、空調衣服１を着たままで、簡単かつ速やかにカバー部材６を交換することができる。従って、上述した空調衣服１は、粉塵等の異物の侵入を抑制することができる、より使い勝手の良い空調衣服であると言える。
【００４５】
［第２実施形態］
図９は、第２実施形態に係る空調衣服１の背面図であり、カバー部材６を取り外した状態を示している。また、図１０は、第２実施形態の空調衣服１に適用されるカバー部材６の平面図である。
【００４６】
第２実施形態の空調衣服１では、カバー部材６は、面ファスナー３６に代えてホック（スナップボタン）４０で衣服本体２に取り付けられている。具体的には、カバー部材６の枠部材３２には、雄型面ファスナー３６ａの代わりに、複数の雄型ホック４０ａが所定間隔で固定されており、他方、衣服本体２のファン４（ファン取付孔１０）の周囲には、雌型面ファスナー３６ｂの代わりに、前記雄型ホック４０ａに対応する複数の雌型ホック４０ｂが固定されている。つまり、雄型ホック４０ａと雌型ホック４０ｂとを嵌合させることによって、カバー部材６が衣服本体２に対して着脱可能に取り付けられている。
【００４７】
このような第２実施形態の空調衣服１も、第１実施形態と同様に、衣服本体２に対して簡単にカバー部材６を着脱できる。そのため、この第２実施形態の空調衣服１についても、第１実施形態と同等の作用効果を享受することができる。
【００４８】
なお、当例では、ホック４０が本発明の「取付部材」に相当し、雌型ホック４０ｂが本発明の「第１部材」に相当し、雄型ホック４０ａが本発明の「第２部材」に相当する。
【００４９】
［第３実施形態］
図１１は、第３実施形態に係る空調衣服１の背面図（左側だけカバー部材６を取付けた状態）である。同図に示すように、第３実施形態では、衣服本体２のファン４（ファン取付孔１０）に対応する位置に、カバー部材用のポケット部４２が設けられており、当該ポケット部４２に対してカバー部材６が出し入れされることで、衣服本体２に対してカバー部材６が着脱される構成となっている。
【００５０】
図１１及び図１２に示すように、ポケット部４２は、カバー部材６と同様に正方形の輪郭を有しており、その上端に出し入れ口４２ｂを備えている。つまり、ポケット部４２は、衣服本体２の外側面（背面）に沿ってカバー部材６を上下方向に出し入れできる形状を有している。
【００５１】
ポケット部４２のうち、ファン４（ファン取付孔１０）に対向する位置には、正方形の開口部４２ａが形成されており、カバー部材６がポケット部４２に収納されると、フィルタ３０がこの開口部４２ａに対応する位置に配置される。この構成により、ファン４が作動すると、ポケット部４２の開口部４２ａ及びフィルタ３０を通じて外気が衣服本体２の内側に取り込まれることとなる。開口部４２ａの大きさ（面積）は、例えばファン４の外径と同等又はそれよりも若干大きく設定されている。これにより、カバー部材６を取り外せば、当該開口部４２ａを通じてファン４の着脱を行えるようになっている。
【００５２】
衣服本体２のうち、各ポケット部４２の上側には、前記出し入れ口４２ｂを開閉可能な蓋片４４が設けられている。この蓋片４４により出し入れ口４２ｂが閉じられることによって、収納されたカバー部材６が意図せずポケット部４２から脱落することが防止される。
【００５３】
なお、第３実施形態では、図１３（ａ）、（ｂ）に示すように、カバー部材６の枠部材３２は、樹脂製のプレートで形成されている。具体的には、フィルタ３０と同等の大きさを有しかつ正方形の開口部を中心に有する一対の樹脂製のプレート４６がフィルタ３０の両側に配置され、これらプレート４６とフィルタ３０とが例えば接着剤により一体に固定されることにより、当該一対の樹脂製のプレート４６により枠部材３２が形成されている。
【００５４】
このような第３実施形態の空調衣服１によれば、衣服本体２に対するカバー部材６の着脱は、衣服本体２の後側面（背面）に沿ってカバー部材６をポケット部４２に対して出し入れすることにより行われる。そのため、カバー部材６の取り外しの際に、カバー部材６が変形し難いという利点がある。すなわち、第１、第２実施形態の空調衣服１の構成では、カバー部材６を取り外す場合には、衣服本体２からカバー部材６を引き剥がす必要があるため、力の具合によってはカバー部材６が変形することも考えられる。しかし、第３実施形態の空調衣服１によれば、カバー部材６を衣服本体２から引き剥がす必要がないので、上記のようなカバー部材６の変形が防止される。
【００５５】
また、カバー部材６は、その枠部材３２が樹脂製のプレート４６で形成されているため、カバー部材６を変形させることなくスムーズにポケット部４２に対して出し入れすることができるという利点もある。枠部材３２は、樹脂製のプレート４６以外に、厚手の布やゴム板など形成されていてもよく、この場合も同様の作用効果を享受できる。
【００５６】
［変形例等］
以上説明した第１〜第３実施形態の空調衣服１は、本発明に係る空調衣服の好ましい実施形態の例示であって、空調衣服の具体的な構成は、本発明の要旨を逸脱しない範囲で適宜変更可能である。
【００５７】
例えば、第１、第２の実施形態では、面ファスナー３６（雄型面ファスナー３６ａ及び雌型面ファスナー３６ｂ）やホック４０（雄型ホック４０ａ及び雌型ホック４０ｂ）によりカバー部材６が衣服本体２に着脱可能に取り付けられている。つまり、本発明の「取付部材」として、面ファスナー３６やホック４０が適用されているが、衣服本体２（第１部材）とカバー部材６（第２部材）とを互いに係脱可能に係合させることができれば、面ファスナー３６やホック４０以外の「取付部材」を適用してもよい。
【００５８】
また、第１〜第３の実施形態では、カバー部材６の形状は何れも正方形であるが、カバー部材６の形状はこれに限定されるものではない。例えば長方形、楕円形、正五角形以上の正多角形などであってもよい。
【００５９】
また、第１〜第３の実施形態では、カバー部材６のフィルタ３０は金網で形成されているが、フィルタ３０は、金属以外の材料、例えば不織布で形成されたものであってもよい。要するに、フィルタ３０は、空調衣服１が使用される環境に応じて、その環境下での異物の侵入を効果的に防止し得る素材（材料）で形成されていればよい。
【００６０】
また、第３実施形態では、ポケット部４２の開口部４２ａを閉止するための手段、すなわち、本発明の閉止手段として蓋片４４が設けられているが、閉止手段はこれに限定されるものではない。例えば、面ファスナーやホックを用いて開口部４２ａを閉じるものであってもよい。
【００６１】
また、第３実施形態では、空調衣服１の１つのポケット部４２に対して１つのカバー部材６が収納されているが、例えば複数枚のカバー部材６を重ねてポケット部４２に収納できるようにしてもよい。この構成によれば、異物の侵入をより高度に防止することが可能になるとともに、ポケット部４２からのカバー部材６の脱落を防止する上でも有利となる。
【００６２】
また、第３実施形態の空調衣服１において、ポケット部４２や蓋片４４は、樹脂製プレート、厚手の布、ゴム板等の保形部材が内包されたものであってもよい。この構成によれば、ポケット部４２や蓋片４４の型くずれを防止することができる。そのため、当該型くずれに起因してカバー部材６をポケット部４２に対して出し入れし難くなることが防止される。
【００６３】
なお、第１〜第３実施形態の各空調衣服１について、例えば冬場など、ファン４が不要な場合には、ファン４を取り外して空調衣服１を使用することができる。この場合、ファン取付孔１０を塞ぐことができるフタ部材を準備しておき、このフタ部材をカバー部材６の代わりに衣服本体２に取り付けるようにすればよい。この場合、第１実施形態の空調衣服１については、フタ部材に雄型面ファスナーを設ける一方、第２実施形態の空調衣服１については、フタ部材に雄型ホックを設けておけば、カバー部材６と同様に、衣服本体２に対してフタ部材を容易に着脱することが可能となる。
【符号の説明】
【００６４】
１  空調衣服
２  衣服本体
４  ファン
６  カバー部材
３０  フィルタ
３２  枠部材
【図１】
2020020056.tif 000003
【図２】
2020020056.tif 000004
【図３】
2020020056.tif 000005
【図４】
2020020056.tif 000006
【図５】
2020020056.tif 000007
【図６】
2020020056.tif 000008
【図７】
2020020056.tif 000009
【図８】
2020020056.tif 000010
【図９】
2020020056.tif 000011
【図１０】
2020020056.tif 000012
【図１１】
2020020056.tif 000013
【図１２】
2020020056.tif 000014
【図１３】
2020020056.tif 000015